(57)【要約】  【課題】  液体を用いた実用的な液体循環型温度調整装置を提供する。  【解決手段】  この冷却除湿装置２６は、氷を収容し、少なくとも氷水を供給できる氷収容容器２７と、供給された氷水を液体路に流通させる液体路部材１と、前記氷収容容器２７からの氷水を液体路部材１に循環させるための循環ポンプ２８とを有している。液体路部材１は複数並列して配設され、これらの液体路部材１に液体送出管３２、液体戻り管３３及び循環ポンプ２８からなる循環ユニット３４を少なくとも一つ設けている。この構成によって各種「空間、移動体において、温度調整できる新規な装置を提供できる。【選択図】  図１
2018105612.tif 000002
【特許請求の範囲】
【請求項１】
温度調整された液体を供給できる液体収容容器(２７)と、供給された前記温度調整水を液体路(３)に循環的に流通させる液体路部材(１)と、前記氷収容容器(２７)からの前記温度調整水を前記液体路部材(１)に循環させるための循環ポンプ(２８)とを有し、
前記液体路部材(１)を少なくとも２枚のシートを重ね合わせ、その一部を融着させて形成した融着部(１４)と、前記融着部(１４)の間において融着されずに形成された流路部(１６)とを有し、液体路(３)を前記融着部(１４)と前記流路部(１６)とを平面的に広がりを持って配置することで形成したことを特徴とする液体循環型温度調整装置。
【請求項２】
温度調整された液体を供給できる液体収容容器(２７)と、供給された前記温度調整水を液体路(３)に循環的に流通させる液体路部材(１)と、前記氷収容容器(２７)からの前記温度調整水を前記液体路部材(１)に循環させるための循環ポンプ(２８)とを有し、
前記液体路部材(１)を小さい凹凸(１５)が形成された凹凸シート(２)を少なくとも１枚含んで複数枚のシートを重ね合わせ、その一部を平面的に離隔的に融着させて形成した融着部(１４)と、前記融着部(１４)の間において融着されずに形成された流路部(１６)とを有し、液体路(３)を前記融着部(１４)と前記流路部(１６)とを平面的に広がりを持って配置することで形成したことを特徴とする液体循環型温度調整装置。
【請求項３】
請求項１〜請求項２のいずれか一つに記載の液体循環型温度調整装置において、前記液体収容容器(２７)を少なくとも氷水を供給できる氷収容容器(２７)で構成した液体循環型温度調整装置。
【請求項４】
請求項２〜請求項３のいずれか一つに記載の液体循環型温度調整装置において、前記凹凸(１５)の高さ(Ｈ)を０．０５ｍｍ〜１０ｍｍの範囲に構成し、かつ、横幅(Ｗ)を０．０５ｍｍ〜１０ｍｍの範囲に構成した液体循環型温度調整装置。
【請求項５】
請求項２〜請求項４のいずれか一つに記載の液体循環型温度調整装置において、前記凹凸シート(２)として凹凸(１５)をエンボス加工、印刷処理、吹付処理の少なくとも一つで形成されたものを使用する液体循環型温度調整装置。
【請求項６】
請求項１〜請求項２のいずれか一つに記載の液体循環型温度調整装置において、前記融着部(１４)と前記流路部(１６)とを有する前記液体路部材(１)に換えて、液体の流れる隙間(４２)を備えている立体構造物(４１)をシートの縁部接合部(７)によって形成された前記液体路(３)に固定した液体路部材(１)を使用した液体循環型温度調整装置。
【請求項７】
請求項１〜請求項６のいずれか一つに記載の液体循環型温度調整装置において、電源装置(３６)として可動型電源装置を備えた液体循環型温度調整装置。
【請求項８】
請求項１〜請求項７のいずれか一つに記載の液体循環型温度調整装置において、前記液体路部材(１)の熱交換面積を増やす配置形態を維持するための配置形態維持手段(２９)を有する液体循環型温度調整装置。
【請求項９】
請求項１〜請求項８のいずれか一つに記載の液体循環型温度調整装置において、複数個並べた前記液体路部材(１)と、前記各液体路部材(１)の間を連通する連通管(３５)とを有し、最初の液体路部材(１)へ液体送出管(３２)から入った液体が、前記連通管(３５)を経て最後の液体路部材１から液体戻り管(３３)へ戻る構成とした液体循環型温度調整装置。
【請求項１０】
請求項９に記載の液体循環型温度調整装置において、前記複数個の前記液体路部材(１)を液体送出管(３２)、液体戻り管(３３)、連通管(３５)の接続形態において、直列、並列、又は直列並列の組合せを採用することで、前記複数の前記液体路部材(１)の用途に応じた液体循環通路を得るようにした液体循環型温度調整装置。
【請求項１１】
請求項９〜請求項１０のいずれか一つに記載の液体循環型温度調整装置において、前記複数個の前記液体路部材(１)の位置調整を行なう位置調整手段(５８)を備えた液体循環型温度調整装置。
【請求項１２】
請求項８〜請求項１１のいずれか一つに記載の液体循環型温度調整装置において、前記配置形態維持手段(２９)が、前記液体路部材(１)に設けられた支持穴(５２)と、前記支持穴(５２)を貫く棒体(３１)と、前記棒体(３１)を支える支持部材(３０)とを備えている液体循環型温度調整装置。
【請求項１３】
請求項１〜請求項１２のいずれか一つに記載の液体循環型温度調整装置において、前記液体路部材(１)の一部を構成する液体路(３)の入口部(４)と出口部(５)に接続口具(６)を設け、前記接続口具(６)は、前記凹凸シート(２)が接合するための接合面部(８)と、前記液体路(３)に連通する管部(１１)を有する液体循環型温度調整装置。
【請求項１４】
請求項１〜請求項１３のいずれか一つに記載の液体循環型温度調整装置において、前記液体路部材(１)に送風を供給する送風装置(３７)を設けた液体循環型温度調整装置。
【請求項１５】
請求項１４に記載の液体循環型温度調整装置において、前記送風装置(３７)の送風方向(５５)を前記液体路部材(１)の平面方向と略平行方向に設定した液体循環型温度調整装置。
【請求項１６】
請求項１〜請求項１５のいずれか一つに記載の液体循環型温度調整装置において、前記液体路部材(１)の表面等に凝結した水分を回収する水回収部(３８)を設けた液体循環型温度調整装置。
【請求項１７】
請求項１〜請求項１６のいずれか一つに記載の液体循環型温度調整装置において、前記冷却除湿を要する空間がロープウェイのゴンドラ内の空間である液体循環型温度調整装置。
【請求項１８】
請求項１７に記載の液体循環型温度調整装置において、前記氷収容容器(２７)と、前記液体路部材(１)と、前記循環ポンプ(２８)と、前記電源装置(３６)とを搬送ユニットとして前記ゴンドラ内に搬送できるように構成した液体循環型温度調整装置。
【請求項１９】
請求項１８に記載の液体循環型温度調整装置において、前記搬送ユニットが前記ゴンドラへの搬入を行う台車を含んでいる液体循環型温度調整装置。
【請求項２０】
請求項１〜請求項１６のいずれか一つに記載の液体循環型温度調整装置において、ファン装置(５３)に用いられるパイプ(５４)の空気輸送空間に前記液体路部材(１)を配置した液体循環型温度調整装置。
【請求項２１】
請求項１〜請求項１６のいずれか一つに記載の液体循環型温度調整装置において、簡易居住部材(５７)の構成部材に前記液体路部材１を設けた液体循環型温度調整装置。
【請求項２２】
請求項１〜請求項１６のいずれか一つに記載の液体循環型温度調整装置において、各種壁面(６０)に前記液体路部材(１)を設けた液体循環型温度調整装置。
【請求項２３】
請求項１〜請求項１６のいずれか一つに記載の液体循環型温度調整装置において、各種面に液体の色が判別できる透光性のある液体路部材(１)を使用し、色の付いた液体を流す液体循環型温度調整装置。
【請求項２４】
請求項１〜請求項１６のいずれか一つに記載の液体循環型温度調整装置において、形状維持固定具(６７)に取り付けられた前記液体路部材(１)を扇風機(６５)のファン部分に対応して固定した液体循環型温度調整装置。
【請求項２５】
請求項１４に記載の液体循環型温度調整装置において、携帯型の冷却装置であって、装置で下側位置に設けられた前記液体収容容器(２７)としての氷収容部(７４)と、前記氷収容部(７４)の上方位置に設けられた液体路収容部(７９)と、前記液体路収容部(７９)内において前記送風装置(３７)の送風方向と平行にその液体路面が設けられた前記液体路部材(１)と、
装置の筐体(７５)の上面及び側面に設けられた前記吸気取入口(４７)及び前記冷却風排出口(４８)と、を備え、
前記吸気取入口(４７)からの吸気を前記氷収容部(７４)から前記液体路部材(１)を経て前記冷却風排出口吸(４８)から排出するように構成し、前記氷収容部(７４)を結露水(８８)の水回収部(３８)としても利用するように構成した液体循環型温度調整装置。
【請求項２６】
請求項２５に記載の液体循環型温度調整装置において、下面部に内部吸気口(８０)を有し、上面部に前記冷却風排出口(４８)を有した小容器(８５)と、前記小容器(８５)を収容する大容器(８４)とを備え、前記小容器(８５)と前記大容器(８４)の差領域(９７)に前記吸気取入口(４７)を設け、前記大容器(８４)内の前記小容器(８５)の下方空間を前記氷収容部(７４)として構成した液体循環型温度調整装置。
【請求項２７】
請求項２５〜請求項２６のいずれか一つに記載の液体循環型温度調整装置において、大小２種類の筒型容器で前記大容器(８４)と前記小容器(８５)を構成した液体循環型温度調整装置。
【請求項２８】
請求項２５〜請求項２７のいずれか一つに記載の液体循環型温度調整装置において、前記液体路収容部(７９)に収容される前記液体路部材(１)を間隔を有して通風を自在にして配置状態にする風路確保用スペーサ(８７)を設けた液体循環型温度調整装置。
【請求項２９】
請求項２８に記載の液体循環型温度調整装置において、前記液体路部材(１)と前記風路確保用スペーサ(８７)を螺旋形に共に巻き込んだ形にしてあることで螺旋形液体路部材(８６)を構成した液体循環型温度調整装置。
【請求項３０】
請求項２５〜請求項２９のいずれか一つに記載の液体循環型温度調整装置において、外部タンク(７８)を前記液体送出管(３２)、前記液体戻り管(３３)とで前記液体路部材１の間を連結する連通部(１００)を有した液体循環型温度調整装置。
【請求項３１】
請求項２５〜請求項３０のいずれか一つに記載の液体循環型温度調整装置において、前記氷収容部(７４)に収容できる別体氷収容部(８２)を設け、前記別体氷収容部(８２)を前記氷収容部(７４)に対して収容された状態と取り出した状態を選べる構成とした液体循環型温度調整装置。
【発明の詳細な説明】
【技術分野】
【０００１】
本発明は、室内などの空間や物体を冷却、温める又は除湿したりする冷却装置、暖房装置、又は除湿装置などの温度調整技術に関する。特に、電源を継続的に取ることが難しい空間や移動体などを冷却、除湿、暖房の少なくとも一方を実現する技術に好適に適用できるものである。
【背景技術】
【０００２】
従来から、冷却装置が提案されている。例えば、扇風機などで風を送ることや、コンセントなどの永続的な電源から得られる空気調和機（エアコン）と呼ばれる装置や、氷柱を部屋内に設ける等の方法が知られている。最近では、氷、水に送風装置からの風を送ることで、氷の融解熱又は水の気化熱を利用して送風温度を低くして、室内を冷やす冷風装置が提案されている。
例えば、特許文献１において、氷収納室に氷を投入し送風手段による空気流を導入して氷の間を通しながら外部に送出して冷房を行う簡易クーラーが提案されている。
【先行技術文献】
【特許文献】
【０００３】
【特許文献１】特開２０１２−２２５６１７
【発明の開示】
【発明が解決しようとする課題】
【０００４】
しかし、上記従来構成の冷風装置であれば、氷の融解熱又は水の気化熱を利用するので構成的に室内の湿度が上昇してジメジメして不快になる。
一方、エアコンを駆動するだけの大きな電源が取れないような移動体内で、エンジン発電機等を利用することができない移動体内の部屋や物体を冷却するような場合、良好な冷却状態にすることが難しくなる。
スキー場などに設けられるロープウェイに使用されるゴンドラでは、各ゴンドラに電線を引くことができず、実用的なエアコンを設けることができない。
特に、スキー場などの寒いことが前提の場所と違い、２０２０年の東京オリンピックにおいて、使用される可能性のある東京内の各場所を結ぶ ロープウェイにおいては、高温になる夏季のゴンドラ内を冷却する冷却装置がないという課題がある。つまり、永続的な電源を確保できない状態において、外温の高い場所や、外温の高い季節を移動するロープウェイ等の冷却（冷房）を実現する現実的な装置がないことが課題になっている。
また、永続的な電源が取れない空間、移動体において、温度を調整する装置や、除湿装置もいろいろな技術的分野において要望されている。
【０００５】
本発明の目的は、上記従来技術の課題を解決することができる液体循環型温度調整装置の提供することを目的とする。
具体的な目的の一例を示すと、以下の通りである。なお、この目的は、後述する各実施例の課題の一例である。したがって、本発明の技術的範囲を下記個別の目的内に限定解釈してはならない。
（Ａ）空間、移動体に対して、温度調整できる新規な装置を提供する。
（Ｂ）湿度を高めることなく冷却除湿できる装置を提供する。
（Ｃ）エアコン等を駆動する永続的な電源が取れない上記ゴンドラのような移動体、空間等の冷却、除湿の少なくとも一方を行える装置を提供する。
（Ｄ）湿度を高めることなく除湿できる装置を提供する。
（Ｅ）ワイヤレス型電源である電池（バッテリー）を使用した携帯型の冷却装置を提供する。
なお、上記に記載した以外の発明の課題、その解決手段及びその効果は、後述する明細書内の記載において詳しく説明する。
【課題を解決するための手段】
【０００６】
本発明は多面的に表現できるが、例えば、代表的なものを挙げると、次のように構成したものである。なお、下記各発明において、各符号は後述する実施例との対応関係を分かりやすくするために一例として示したものであり、本発明の各構成要素は、実施例に記載した符号に係る構成に限定されない。
【０００７】
本発明に係る液体循環型温度調整装置は、温度調整された液体を供給できる液体収容容器２７と、供給された前記温度調整水を液体路３に循環的に流通させる液体路部材１と、前記氷収容容器２７からの前記温度調整水を前記液体路部材１に循環させるための循環ポンプ２８とを有し、
前記液体路部材１を少なくとも２枚のシートを重ね合わせ、その一部を融着させて形成した融着部１４と、前記融着部１４の間において融着されずに形成された流路部１６とを有し、前記液体路３を前記融着部１４と前記流路部１６とを平面的に広がりを持って配置することで形成したことを特徴とする（請求項１）。
なお、本発明において、融着部１４を設けることで、少なくとも２枚のシートを区画して、前記液体路３を形成する構成も採用することができる。
例えば、区画する方法としては、少なくとも２枚のシートにおいて液体路３を形成する複数本の曲線形融着部を設ける構成も採用できる。
図３を例に挙げて説明すれば、液体路３を構成する内側と外側の曲線形融着部（図１で例示すれば、縁部接合部７・７に該当する）を設けることで、略Ｕ字形に形成された液体路３を構成することができる。同様に、所望形状の液体路を構成するために曲線形融着部の形状を適宜、設定できること明らかである。なお、「曲線形融着部」は、「直線形融着部」を含む概念で使用している。
本発明に係る液体循環型温度調整装置は、温度調整された液体を供給できる液体収容容器２７と、供給された前記温度調整水を液体路３に循環的に流通させる液体路部材１と、前記氷収容容器２７からの前記温度調整水を前記液体路部材１に循環させるための循環ポンプ２８とを有し、
前記液体路部材１を小さい凹凸１５が形成された凹凸シート２を少なくとも１枚含んで複数枚のシートを重ね合わせ、その一部を平面的に離隔的に融着させて形成した融着部１４と、前記融着部１４の間において融着されずに形成された流路部１６とを有し、前記液体路３を前記融着部１４と前記流路部１６とを平面的に広がりを持って配置することで形成したことを特徴とする（請求項２）。
また、上記請求項１及び請求項２の構成においても、下記好ましい実施形態である、請求項３、請求項７〜請求項３０に係る構成を採用することができる。その場合に、請求項１に係る構成においては、例えば、実施例を説明する場合において、仮に「凹凸のある凹凸シート」とあるものを「少なくとも２枚のシート」と読み替えれば良い。
また、シートにはポリエチレン（ＰＥ）などの各種合成樹脂が使用できる。また、各種合成樹脂には、ウレタン樹脂、合成ゴム材料、塩化ビニールなどが含まれることは明らかである。なお、前記融着部を構成する方法としては、
（１）熱融着方法
（２）各種接着剤の塗布による方法
（３）高周波圧着
（４）超音波圧着
などの公知の各種の接着方法が例示できる。要は、シート材を構成する素材に応じた前記融着部を構成する方法を採用すればよいのである。
【発明の効果】
【０００８】
以上説明したように、本発明であれば、空間、移動体に対して、温度調整できる新規な装置を提供できた。湿度を高めることなく冷却除湿できる装置を提供できた。また、エアコン等を駆動する永続的な電源が取れない上記ゴンドラのような移動体、空間等の冷却、除湿の少なくとも一方を行える装置を提供できた。さらに、冷却の観点無く、湿度を高めることなく除湿できる装置を提供できた。また、ワイヤレス型電源であるバッテリーを使用した携帯型の冷却装置を提供できた。
【発明を実施するための最良の形態】
【０００９】
上記本発明の好ましい実施形態を以下、説明する。
本実施形態は、前記液体収容容器２７を少なくとも氷水を供給できる氷収容容器２７で構成したことを特徴とする（請求項３）。
本明細書において「温度調整」という言葉には、冷却、加温という概念を含む。また、「冷却」という言葉には「冷房」の概念を含む意味で使用している。
また、「冷却除湿装置」とは、「冷却」と「除湿」の少なくとも一方の作用を行なう装置の意味で用いている。
本明細書において「移動体」という言葉は、「移動体内の空間」又は「移動体自体（表面も含む）」という意味を含んでいる。
「氷水」とは氷が溶けた水を言う。氷水はその溶けた直後の温度は約０℃であり、冷却する効果が高い水である。
「少なくとも氷水」の意味は、「氷水」だけでなく、前記液体路内を良好に流通することができる微少な氷を含んだ状態も含む意味である。
本実施形態であれば、少なくとも氷水が液体路部材の液体路を流れることで、液体路部材が配置された空間、移動体等において冷却効果を得ることができる。また、液体路内を氷水が流れることで液体路部材の表面に空気中の水分が凝着することで、除湿を行なうことができる。また、冷却装置として使用する場合には、前記特許文献１に示すような従来の各種冷風装置のように空間の湿度を高めることなく、冷却することができる。
本実施形態は、前記凹凸１５の高さＨを０．０５ｍｍ〜１０ｍｍの範囲に構成し、かつ、横幅Ｗを０．０５ｍｍ〜１０ｍｍの範囲に構成したことを特徴とする（請求項４）。
本実施形態は、前記凹凸シート２として凹凸１５をエンボス加工、印刷処理、吹付処理の少なくとも一つで形成されたものを使用することを特徴とする（請求項５）。
【００１０】
本実施形態は、前記融着部１４と前記流路部１６とを有する前記液体路部材１に換えて、液体の流れる隙間４２を備えている立体構造物４１をシートの縁部接合部７によって形成された前記液体路３に固定した液体路部材１を使用したことを特徴とする（請求項６）。
本実施形態は、電源装置３６として可動型電源装置を備えたことを特徴とする（請求項７）。
「可動型電源装置」は蓄電池や燃料電池等の移動可能な電源が挙げられる。
本実施形態は、前記液体路部材１の熱交換面積を増やす配置形態を維持するための配置形態維持手段２９を有することを特徴とする（請求項８）。
「熱交換面積を増やす配置形態を維持するための配置形態維持手段」としては、原則として熱交換面積を増やすように配設する構成であれば、その構成は特に限定されない。例えば、後述する実施形態に示すように、折り畳んだり、複数回蛇行させたりする形態が例示できる。
【００１１】
本実施形態は、複数個並べた前記液体路部材１と、前記各液体路部材１の間を連通する連通管３５とを有し、最初の液体路部材１へ液体送出管３２から入った液体が、前記連通管３５を経て最後の液体路部材１から液体戻り管３３へ戻る構成としたことを特徴とする（請求項９）。
この構成であれば、連通管を有することで複数個並べた各液体路部材の配置の自由度を高めることができる。例えば、ほとんど液体路部材を曲げなくても小さい容積に並列的に多数の液体路部材を配列でき、液体を流すときの抵抗を低減することができる。
本実施形態は、複数個の前記液体路部材１を液体送出管３２、液体戻り管３３、連通管３５の接続形態において、直列、並列、又は直列並列の組合せを採用することで、前記複数の前記液体路部材１の用途に応じた液体循環通路を得るようにしたことを特徴とする（請求項１０）。
【００１２】
本実施形態は、前記複数個の前記液体路部材１の位置調整を行なう位置調整手段５８を備えたことを特徴とする（請求項１１）。
本実施形態は、前記配置形態維持手段２９が、前記液体路部材１に設けられた支持穴５２と、前記支持穴５２を貫く棒体３１と、前記棒体３１を支える支持部材３０とを備えていることを特徴とする（請求項１２）。
本実施形態は、前記液体路部材１の一部を構成する液体路３の入口部４と出口部５に接続口具６を設け、前記接続口具６は、前記凹凸シート２が接合するための接合面部８と、前記液体路３に連通する管部１１を有することを特徴とする（請求項１３）。
接続口具の一例としては、後述する図面において開示しているスパウト形状のものが例示できる。
本実施形態は、前記液体路部材１に送風を供給する送風装置３７を設けたことを特徴とする（請求項１４）。
【００１３】
本実施形態は、請求項１３において、前記送風装置３７の送風方向５５を前記液体路部材１の平面方向と略平行方向に設定したことを特徴とする（請求項１５）。
本実施形態は、前記液体路部材１の表面等に凝結した水分を回収する水回収部３８を設けたことを特徴とする（請求項１６）。
本実施形態は、前記冷却除湿を要する空間がロープウェイのゴンドラ内の空間であることを特徴とする（請求項１７）。
本実施形態は、請求項１６において、前記氷収容容器２７と、前記液体路部材１と、前記循環ポンプ２８と、前記電源装置３６とを搬送ユニットとして前記ゴンドラ内に搬送できるように構成したことを特徴とする（請求項１８）。
本実施形態は、前記搬送ユニットが前記ゴンドラへの搬入を行う台車を含んでいることを特徴とする（請求項１９）。
「台車を含む」とは台車上に図１に示すような搬送ユニットを載置する構成や、搬送ユニット自体を台車にする等の構成を含む。
【００１４】
本実施形態は、ファン装置５３に用いられるパイプ５４の空気輸送空間に前記液体路部材１を配置したことを特徴とする（請求項２０）。
本実施形態は、簡易居住部材５７の構成部材に前記液体路部材１を設けたことを特徴とする（請求項２１）。
本実施形態は、各種壁面６０に前記液体路部材１を設けたことを特徴とする（請求項２２）。
本実施形態は、各種面に液体の色が判別できる透光性のある液体路部材１を使用し、色の付いた液体を流すことを特徴とする（請求項２３）。
本実施形態は、形状維持固定具６７に取り付けられた前記液体路部材１を扇風機６５のファン部分に対応して固定したことを特徴とする（請求項２４）。
本実施形態は、携帯型の冷却装置であって、装置で下側位置に設けられた前記液体収容容器２７としての氷収容部７４と、前記氷収容部７４の上方位置に設けられた液体路収容部７９と、前記液体路収容部７９内において前記送風装置３７の送風方向と平行にその液体路面が設けられた前記液体路部材１と、
装置の筐体７５の上面及び側面に設けられた前記吸気取入口４７及び前記冷却風排出口４８と、を備え、
前記吸気取入口４７からの吸気を前記氷収容部７４から前記液体路部材１を経て前記冷却風排出口吸４８から排出するように構成し、前記氷収容部７４を結露水８８の水回収部３８としても利用するように構成したことを特徴とする。（請求項２５）。
本実施形態は、下面部に内部吸気口８０を有し、上面部に前記冷却風排出口４８を有した小容器８５と、前記小容器８５を収容する大容器８４とを備え、前記小容器８５と前記大容器８４の差領域９７に前記吸気取入口４７を設け、前記大容器８４内の前記小容器８５の下方空間を前記氷収容部７４として構成したことを特徴とする。（請求項２６）。
本実施形態は、大小２種類の筒型容器で前記大容器８４と前記小容器８５を構成したことを特徴とする。（請求項２７）。
本実施形態は、前記液体路収容部７９に収容される前記液体路部材１を間隔を有して通風を自在にして配置状態にする風路確保用スペーサ８７を設けたことを特徴とする。（請求項２８）。
本実施形態は、前記液体路部材１と前記風路確保用スペーサ８７を螺旋形に共に巻き込んだ形にしてあることで螺旋形液体路部材８６を構成したことを特徴とする。（請求項２９）。
本実施形態は、外部タンク７８を前記液体送出管３２、前記液体戻り管３３とで前記液体路部材１の間を連結する連通部１００を有したことを特徴とする（請求項３０）。
前記連通部は筐体に独立して設けることもできる。前記連通部を挟体に形成された各種開口、例えば、前記吸気取入口や冷却風排出口等と兼用することもできる。
本実施形態は、前記氷収容部７４に収容できる別体氷収容部８２を設け、前記別体氷収容部８２を前記氷収容部７４に対して収容された状態と取り出した状態を選べる構成としたことを特徴とする（請求項３１）。
【図面の簡単な説明】
【００１５】
【図１】本実施例に係る冷却除湿装置の概略ブロック図である。
【図２】本実施例において、複数個配列された液体路部材の一例を示す斜視図である。
【図３】本実施例に係る液体路部材の一例を示す斜視図である。
【図４】本実施例において凹凸シートをエンボス加工によって製造するための図であり、（Ａ）はエンボス加工前のシートの平面図、（Ｂ）はその加工前のシートの縦断面図、（Ｃ）は加工後の凹凸シートの平面図、（Ｄ）は加工後の凹凸シートの縦断面図である。
【図５】本実施例において凹凸シートをエンボス加工によって製造するための図であり、（Ａ）は融着部パターンの圧着金型によって加工する様子を示す縦断面図、（Ｂ）は融着部が形成され、２枚の凹凸シートが圧着された後の平面図、（Ｃ）は２枚の凹凸シートが圧着された後の縦断面図である。
【図６】融着部と流路部を有する液体路内の液体の流れの一例を示す平面図である。
【図７】本実施例の凹凸シートを構成する他の形態を説明するための縦断面図である。
【図８】連通管と接続口具等を液体路部材の下方に設けた構成と、複数個配列された液体路部材の配置調整を行なう構成を説明するための斜視図である。
【図９】（Ａ）は筐体の外側から側面板を見た図、（Ｂ）は筐体の内側から液体路部材を経て側面板を見た図、（Ｃ）は液体路部材が緩んだ状態を示す側面図、（Ｄ）は液体路部材が張った状態を示す側面図である。
【図１０】液体路部材の他の構成例を示す斜視図である。
【図１１】複数の液体路部材において、全てを並列に接続した構成を示す斜視図である。
【図１２】（Ａ）は液体路部材の一例として直線形の液体路を示す平面図、（Ｂ）は区画接合部で折り返し部を形成した液体路部材の一例を示す平面図である。
【図１３】（Ａ）はダクト内に液体路部材を配設した構成における概略側面図、（Ｂ）はダクト口から見た図、（Ｃ）は配設される液体路部材の斜視図である。
【図１４】テント等の簡易居住具に液体路部材を設けた構成の一例を示す模式斜視図である。
【図１５】パネル等に液体路部材を設けた構成の一例を示す斜視図である。
【図１６】液体路部材を設けた窓ガラスの一例を示す電車室内の斜視図である。
【図１７】（Ａ）（Ｂ）（Ｃ）はそれぞれ扇風機に螺旋形液体路部材を取り付けた冷風除湿扇の構成を示す一部断面側面図である。
【図１８】（Ａ）（Ｂ）はそれぞれ冷風除湿扇の形状維持固定具に螺旋形液体路部材を巻き付ける構成を説明するための正面図、（Ｃ）は斜視図である。
【図１９】旗形状部材に液体路部材を適用した一例を示す斜視図である。
【図２０】携帯型冷却装置の一例を示す概略斜視図である。
【図２１】携帯型冷却装置の立体分解図の一例を示す斜視図である。
【図２２】（Ａ）は風路確保用スペーサと一緒に巻かれた液体路部材の平面図、（Ｂ）はその配設状態の斜視図である。
【図２３】（Ａ）は別体氷収容部の一例を示す斜視図、（Ｂ）〜（Ｄ）はそれぞれ大容器の氷収容室に氷を用意している状態を示す図である。
【図２４】外部タンクを用いた携帯型冷却装置の一例を示す斜視図である。
【実施例】
【００１６】
［第１実施例］
以下、図１〜図９に示す本発明に係る第１実施例について、図面に基づき説明する。なお、本実施例の説明においては、温度調整の形態として冷却除湿形態を採用した場合を例に取り、説明する。
図１〜図２に示すように、この冷却除湿装置２６は、氷を収容し、少なくとも氷水を供給できる氷収容容器２７と、供給された氷水を後述する液体路３に流通させる液体路部材１と、前記氷収容容器２７からの氷水を液体路部材１に循環させるための循環ポンプ２８とを有している。
この冷却除湿装置２６は、液体送出管３２、液体戻り管３３及び循環ポンプ２８からなる循環ユニット３４を少なくとも一つ有している。この循環ユニット３４の個数をどの程度に設定するかは、冷却除湿又は暖房する空間等の容積や目的とする温度や、装置の目的によって適宜、設定される。また、必要により、単位となる各液体路部材１の接続形態も直列、並列、又は直列並列混合型になるように連通する連通管３５が設定される。
なお、冷却除湿装置２６が装置外装部材４６で囲まれるユニット構成（前記搬送ユニットを含む）の場合は、吸気取込口４７と温度調整風排出口４８が装置外装部材４６の必要な箇所に設けられる。
【００１７】
（配置形態維持手段２９）
この冷却除湿装置２６は、液体路部材の熱交換面積を増やす配置形態を維持するための配置形態維持手段２９を有している。
「熱交換面積を増やす配置形態」とは
（１）図２及び図３に一例として示すように、単位となる液体路部材１を複数個及び多数個、並列的に配置する形態、
（２）蛇腹形に折り返す形態、巻形に配置する形態
等が例示できる。渦巻き形に形状保持する構成としては、例えば図１３（Ｃ）に示す構成が例示できる。
配置形態維持手段２９としては、液体路部材１を支持する枠体、棒材、又は収容容器等で構成できる。例えば、図８，図９に示す構成では、複数個、立設された液体路部材１の支持穴５２に棒材３１を通して筐体３０の支持穴５１で支持する構成が配置形態維持手段２９の一例として示されている。
【００１８】
（ワイヤレスで可動型の電源装置３６を設けた構成）
この冷却除湿装置２６は、各種ポンプや制御装置等を駆動するための電源装置３６を備えている。この電源装置３６は、コンセントのように部屋等から永続的に電源を取得できる固定式電源を除外するものではない。但し、本実施例は、ゴンドラのような移動体において、電源を得ることが難しい場合にその課題を解決する場合に使用すれば大きな利益がある場合が多い。この場合の電源装置３６として、可動型電源装置を採用することで移動体においても冷却除湿効果を得ることができる。下記に記載する送風装置３７の駆動電源は循環ポンプ２８用の可動型電源装置と共用にする構成も採用することもできる。
【００１９】
この冷却除湿装置２６は、必要に応じて、以下の構成要素を設けることもできる。
（１）送風装置３７
空間等に強制的に風を送ることができる送風装置３７を例えば図２に示すように液体路部材１の上流側に設ける構成である。
（２）凝結した水分を回収する水回収部３８と、回収した水を水回収容器３９に送出する水回収ポンプ４０を設ける
本実施例の冷却除湿装置２６は冷却用に使用した場合は、空気中の水分が液体路部材１の表面等に凝縮するので、その水分をいかに処理することが大事になる。
本実施例では、液体路部材１の表面から例えば、垂れ落ちる水分を回収する水回収部３８を設けることで、液体路部材１の表面等に凝縮した水分を回収できて、空間や移動体内の湿度が高まってカビが発生する等の不都合を抑制することができる。
一般には、冷却除湿を行なう液体路部材１の表面に水分が凝結するので液体路部材１の下方位置に水回収皿等の水回収部３８を設ける。但し、水回収ポンプ４０と水回収容器３９は必要に応じて設けられる。例えば、回収された水を外部に放出できる環境であれば、水回収容器３９は不要である。また、重力を利用した傾斜面（例えば漏斗形）を設ければ、水回収ポンプ４０は不要とすることもできる。
（３）制御装置４２
使用者が希望する冷却温度、送風程度等を選択できる制御装置４２を設ける。制御装置４２の制御には、冷却除湿装置２６を使用者が希望する制御情報とは別に、好ましい状態で駆動する内在的制御を含めても良い。電源スイッチは最も簡単な制御装置４２である。
（４）状態表示装置４３
使用者が状態を判断できるように、冷却風の強度、冷却除湿装置２６の温度や湿度、又は室内等の空間の温度や湿度を表示するＬＥＤパネル等の状態表示装置４３を設ける。必要により、冷却除湿装置２６内又は室内等の各種箇所にセンサを設ける。
【００２０】
（液体路部材１に係る特徴構成）
なお、以下の説明は、複数枚のシートを接合する手段として安価に実施できる熱融着を例に取り、説明する。
図３に示すように、本実施例に係る液体路部材１は、略帯形状の平面形に形成した液体路３である。液体路部材１は、図３に示すように、一対の細長い熱融着シート（広義には接合シート）で形成された凹凸シート２・２を熱融着することによって形成された液体路３と、その液体路３の入口部４と出口部５のそれぞれに熱融着された接続口具６としてのスパウト６とを有している。熱融着シート２としては、熱融着できる各種の合成樹脂シート、例えば、ポリエチレン（ＰＥ）等の合成樹脂シートが採用できる。通常、熱融着シートは強度のある合成樹脂とともに複数の合成樹脂層を２〜３層程度、積層した構成が採用されることが多い。
【００２１】
次に、本実施例の一特徴である凹凸シート２による液体路３の形成について説明する。
図３に示すように、液体路部材１を形成する要素としての液体路３は、小さい凹凸１５が形成された凹凸シート２を少なくとも１枚含んで複数枚のシートを重ね合わせた平面形の導液部材である。上側シートと下側シートの両方が凹凸シート２・２であることが好ましいが、一方が平坦シート、他方が凹凸シートの構成も実用上、採用できる（図７参照）。
また、液体路３は、平面的に広がるシートにおいて、その一部を平面的に離隔的に融着させて形成した融着部１４と、融着部１４の間において融着されずに凹凸１５を残した状態で形成された流路部１６とを有している。流路部１６が冷却用液体の流れる通路となる（例えば、図５（Ｃ）参照）。
平面視において、流路部１６の液体の流れを示すと、例えば、図６において矢印で示すように、融着部１４の間の流路部１６に浸み渡るように流れる。
【００２２】
なお、図３においては簡便のために液体路３の一部を切り出した状態で融着部１４、流路部１６、凹凸１５の構成を説明している。実際は液体路３の全面に亘って融着部１４、流路部１６、凹凸１５が形成されている。
また、液体路部材１を薄く形成して、冷却水量を減らして迅速に冷やすことや、薄くして熱交換性能を良くすることに重点を置く場合は、１ｍｍ〜３ｍｍ程度に液体路部材１の厚さを薄く製造することもできる。その時の凹凸の高さ設定は、例えば一例を挙げれば、０．０５ｍｍ〜１ｍｍにすることもできる。
さらに、図３の構成では、液体路３において液体が流れる中心帯域を残して細長い帯形の縁部を熱融着させた縁部接合部７・７を形成するとともに、切り離し部２４を設けて略Ｕ字形の折り返し部２１を設けた液体路３を示してある。
また、スパウト６は、熱融着シート２を融着するための接合面部８と、接合面部８を貫くように管部１１が設けられた管取付部９とを有している。接合面部８の形状は四角形形、半円形状など各種の形状が採用できるが、いずれの構成も熱融着シート２を液体が漏れないようにしっかり密閉する水平方向に広がりを持った領域面を備えている。
【００２３】
図３に示す構成では、スパウト６は、液体路３の内側に臨む位置に設けられた管口１０が設けてあり、その管口１０によって液体路３と連通されている。
接合面部８から突出した管部１１の周囲には、管部１１から外周側に拡径するように突出する先細形状部１２が形成してある。この先細形状部１２は、スパウト６に連結する接続管、例えば液体送出管３２、液体戻り管３３、連通管３５のような弾力性のあるチューブ管をワンタッチで取付け、抜けることを抑制する構造にするための構成である。先細形状部１２としては、略円錐形（略タケノコ形状とも言える）、略球形、略楕円球形などの各種の構成が採用できる。
このような先細形状部１２を有する管取付部９を採用することで、雄ねじと雌ねじの螺合結合のように、通常の液体容器に採用されるスパウトの構成に比べて着脱の処理を簡便化することができる。この構成は一部の液体路部材１が破損した場合にその部分だけを交換する場合に有利となる。
スパウト６は、凹凸シート２と接合しやすい同じ種類系統の合成樹脂、例えばＰＥ、ＰＶＣ等で構成してある。好ましくは同一の合成樹脂材で構成する。同一の合成樹脂材であれば、接合に必要な条件、例えば、溶ける温度等が同じであり、接合が良好になるからである
【００２４】
以下、小さい凹凸１５が形成された凹凸シート２を少なくとも１枚含んで複数枚のシートを重ね合わせて本実施例に係る液体路３を作る工程の一例について説明する。
まず、図４（Ａ）（Ｂ）に示すように２枚の例えば合成樹脂で構成された平坦シート１７・１７を用意して、図４（Ｃ）（Ｄ）に示すようにエンボス加工などの方法によって凹凸シート２・２を得る。凹凸１５の高さＨ、横幅Ｗは各種装置などに採用した場合、液体が良好に流れる大きさであれば特に制限はない。一例を挙げれば、前記凹凸の高さＨを０．０５ｍｍ〜１０ｍｍの範囲に構成し、さらに好ましくは高さＨを０．５ｍｍ〜５ｍｍの範囲に構成することもできる。
また、横幅Ｗを０．０５ｍｍ〜１０ｍｍの範囲に構成し、
さらに好ましくは横幅Ｗを０．５ｍｍ〜５ｍｍの範囲に構成することもできる。
次いで、図５（Ａ）に示すように平面的に所定の融着パターンを有する融着部押圧型１８で凹凸シート２・２を挟み込んで融着させる。
そして、図５（Ｂ）（Ｃ）に示すように平面的に離隔して配置された融着部１４とその間に凹凸部１５を有する流路部１６を形成する。
【００２５】
図２〜図９に示す構成では融着部１４の融着パターンは、縦方向及び横方向一定間隔で円形の融着部を配置した構成となっている。融着部１４の形状及び配置間隔は液体が流れて、良好に身体を冷却できる構成であれば特に限定されない。
一般的には、融着部１４の構成に関する考え方は、
（１）ポンプ等によって圧送された液体の流量を確保できて、十分な冷却ができるような大きさの面積がある流路部１６に設定する、
（２）液体を所定圧力で流した際、液体の圧力によって融着部１４が剥離しない程度の大きさに設定する、
（３）縦方向、横方向、斜め方向などのできるだけ全方位方向に液体が流れるような融着部１４の形状及び配置間隔を設定する。
の３点を考慮しつつ、それらのバランスを取って設定される。概して言えば、円形、楕円、多角形を平面上に離隔的に配置した構成が上記３つの要望を満たすことが多いと予想される。
【００２６】
本実施例の構成であれば、平面的に離隔的に融着箇所を設けることによって、液体に圧力をかけた状態でも液体路３の膨らみを抑制でき、冷却除湿装置２６の容積を小さく構成することができる。また、凹凸シート２で形成しているので、必要であれば薄く形成でき、かつ冷却除湿に要する水量を減らすことができる。単位面積、単位容積に対する冷却除湿水量を減らすことができるので即座に冷却除湿を行なうことができる。さらに、薄い凹凸シート２の全面（凹凸シート２の両面）で熱交換ができるので、単位容積当たりの熱交換効率を高めることができる。
また、液体路部材１に関して言えば、平面的に離隔的に融着させて形成した融着部１４を有しているので、例えば、横、縦、斜め方向においても液体の流路を確保できる利点がある。しかも、仮に液体路３がある程度、曲がることがあっても小さい凹凸１５によって流路部３が閉鎖されることが抑制される。また、小さい凹凸１５が形成された凹凸シート２を作ること、及び融着部１４を形成することは簡単に行えるので、冷却除湿装置２６を構成する上で、製造コストを大幅に低減することができる。
【００２７】
（液体路部材１の他の構成例）
（１）図７は、上記した融着部１４と流路部１６とを有する液体路３を形成するシートの組み合わせの他の構成を示したものである。本変形例の構成として、２つの点を特徴としている。
まず、第１の点は、一方側のシートを平坦シート１７で構成するとともに他方のシートを凹凸シート２とした点である。
第２の点は、凹凸１５の凸部１５を印刷凸部、吹付凸部のいずれか一方で形成したことを特徴としている。第１実施例においても、液体路部材１の形成に使用する凹凸シート２を印刷凸部シート、吹付凸部シートとして採用するだけで同様に製造できるものである。
（２）図１０に示すように、図３に示すような凹凸シート２を用いて液体路３を構成する場合に換えて、シートの縁部接合部７によって形成された液体路３内に柔軟性を有する立体構造物４１を固定した液体路部材１を採用することもできる。
図１０に示す構成では、立体構造物４１は液体の流れる隙間４２を備えている構成を有することで、良好な液体の流れを確保できるようにしてある。
立体構造体４１の一例としては、縦糸と横糸が上下に交差して、その交差によって液体の流れる隙間４２を確保するようにした繊維構造体が例示できる。そのような繊維構造体として縦糸と横糸が上下に交差するメッシュなどを挙げることができる。
また、立体構造物４１は液体路３を構成する少なくとも片方側のシート面に固定されていることが好ましい。
【００２８】
さらに、立体構造物４１の少なくとも片方側のシート面への固定を、液体路３の形状パターンを形成するための複数の接合シート２に係る接合方法と同一の方法によって行うことが好ましい。その場合は、立体構造物４１を構成する素材と、接合シート２を構成する合成樹脂と同じ種類又は接合しやすい合成樹脂を選ぶことになる。前記した縁部接合部７と一緒に立体構造物４１も同じ方法で接合することで、立体構造物４１を接合シート２・２の少なくとも片方に固定することができる。
なお、本発明は、熱融着シート２・２の少なくとも一方側に接着剤などの固定手段を設け、その固定手段によって想定する液体路３の中心帯域に立体構造物４１を固定する方法も除外するものではない。
【００２９】
次に、上記で説明した本実施例の特徴をさらに詳細に説明する。
（送風装置３７の送風方向５５を液体路部材１のシート面が広がる平面方向と略平行方向に設定した点）
図２に示すように、液体路部材１のシート平面が送風装置３７の送風方向５５において、妨げにならないように、送風装置３７の送風方向５５と液体路部材１の平面方向とは略平行方向に設定してある。このような構成であれば、凹凸シート２を折り畳んでも螺旋状（図１２参照）に巻いても、送風はシート平面に直交する方向にならず、シート平面間を抵抗無く通過でき、熱交換を良好に行なうことができる。
送風装置３７の種類やファンの形状などは、実質的に送風できる公知の各種構成を採用できる。また、ファンの構成は送風のみならず、吸引型ファンにおいても同様に適用できることは明らかである。
【００３０】
（複数個の液体路部材１の位置調整を行なう位置調整手段５８を備えた構成）
図８〜図９に示すように、本実施例では単位となるＵ字形の液体路部材１は所定箇所、例えば略四角形の端部領域に複数の支持穴５２を設け、それらの複数の支持穴５２を棒材３１で貫通させる一方、液体路部材１のシート平面の広がる方向に平行に筐体３０の側面板４９・４９を設け、それらの側面板４９・４９に前記棒材３１を掛け渡す構成で支持する構成にしてある。
この基本構成において、前記開口５１を棒材３１の太さに比べて大きな開口５１とし、例えば、上下左右斜め方向の全ての方向において、ボルトナット等の締結具による締結位置を決定することで、並んだ液体路部材１の配置位置を微妙に調整できるようにしてある。
【００３１】
図８〜図９に示す構成では、前記側面板４９・４９に、全体四角形の四隅位置開口５１ａと、長手方向略中間位置５１ｂの開口５１ｂと、全体四角形の略中心位置開口５１ｃを設けている。また、液体路部材１のズレ調整を行なう主な方向に合わせて各開口５１ａ・５１ｂを長口に延びるように構成してある。
一例として略中心位置開口５１ｃを中心として放射状に延びる長口形に開口５１ａ，５１ｂを形成した構成が示してある。但し、ズレ調整の方向は中心から放射状に延びる形態に限定されない。
このような構成を設けることで、図９（Ｃ）に示すように、液体路部材１が緩んだ状態から図９（Ｄ）に示す液体路部材１が張った状態の間を適宜、調整することができる。この調整は、
（１）各液体路部材１の製造誤差を吸収できる点、
（２）筐体３０に液体路部材１群を取り付ける場合の遊び領域を設けて筐体装着時の簡便性を高める点、
（３）図９（Ｃ）に示すように液体が流れる前の緩んだ状態から、液体が流れた後の図９（Ｄ）に示す張った状態の位置の違いを吸収して、各液体路部材１の破損を防止する点
などから好ましい構成である。
【００３２】
（複数個の液体路部材１に設けた接続口具６を互い違いに配置する構成）
図２及び図８などに示すように、単位となる液体路部材１を並列的に並べた構成において接続口具６の設ける位置を、隣接する液体路部材１とは互い違いになるように位置的にずらした複数種類の液体路部材１を製造してある。この構成であれば、単位となる液体路部材１を極めて近接した場合でも並列方向に係る接続口具６の重なりを防止して、小さい容積であっても単位となる液体路部材１を密接して並べることができる。
また、単位となる液体路部材１に使用する接続口具６、液体送出管３２、液体戻り管３３、連通管３５は、図２に示すように上側に設ける構成よりも、図８に示すように液体路部材１の下側に設けることが好ましい。その理由は、液体路部材１に比べて重い部材である、「接続口具６。液体送出管３２、液体戻り管３３、連通管３５」を液体路部材１の下部位置に設けることで液体路部材１の状態が安定することがある。また、上記各種管が仮に破損した場合であっても液体路部材１の液体濡れを防止できるとともに、凝結した水分を下方に落とす点において好ましいからである。
（本実施例に係る氷収容容器２７の構成例）
大容量の移動体空間等を長時間、冷却除湿するためには、大量の氷が必要になる。そこで、氷収容容器２７として凍結及び解凍を多数回、繰り返しても破損しないペットボトル、灯油ポリタンク、ドラム等の合成樹脂製の氷収容容器２７を採用することが好ましい。その氷収容容器２７自体を大型冷蔵室内に収容して氷収容容器２７内の水を氷状態として、利用することが好ましい。
【００３３】
（作用の説明）
以下、本実施例の作用について簡単に説明する。
まず、図１に示す冷却除湿装置２６の吸気取入口４７を外気が取れる箇所に配置し、温度調整風排出口４８を冷却除湿（又は加温）しようとする空間等に向けた状態に配置する。また、冷却除湿に採用した場合は、冷却除湿しようとする空間等の大きさに対応した氷収容容器２７、電源装置３６、ポンプ２８・４０、送風装置３７の大きさ、出力等を採用する。例えば、ロープウェイのゴンドラのように比較的大きな空間、物体を冷却除湿するための構成であれば、氷収容容器２７、電源装置３６、ポンプ２８・４０、送風装置３７はある程度、大出力のものが必要になる。
【００３４】
氷収容容器２７内の氷水は循環ポンプ２８によって液体送出管３２から表面積の大きな液体路部材１に送出され、液体路部材１の液体路３内を循環する。この液体の循環過程において、送風装置３７の風を冷却除湿できる。液体路部材１内を流れる液体は、液体戻り管３３から氷収容容器２７へ戻される。
一方、送風装置３７の送風５５の方向は、液体路部材１のシート平面と略平行に設定されているので、送風５５の抜け具合を向上でき、熱交換効率を高めることができる。
また、氷収容容器２７内の氷がほとんど溶けて、氷収容容器２７内の液温度が空間を冷却除湿することが難しくなった場合は、氷収容容器２７自体を氷が十分入った氷収容容器２７に交換すれば良い。
氷収容容器２７の大きさはペットボトル程度のものから、灯油ポリタンクやドラム程度の大型容器まで用途に応じて選択すれば良い。
なお、氷を用いて空間や物体等を冷やすことは氷を作る電力が必要であり、非効率と思われるかもしれない。しかし、一般に深夜電力は昼間電力に比べて非常に安価であり、深夜電力を用いて氷を作れば、安価に冷却除湿を行なうことができるのである。深夜電力を用いて水をポンプで高所に上げて発電する揚水発電が現実に行なわれていることを考えれば、深夜電力を用いて氷を作って冷却除湿を行なう経済的な利点も容易に理解できるのである。
【００３５】
［第２実施例］
本実施例は、図１１に示すように、単位となる液体路部材１に接続する液体送出管３２、液体戻り管３３、連通管３５の接続形態を、全て並列に配置したことを特徴としている。
液体路部材１毎に前記した循環ユニット３４が設けられているので、製造コストは高くなるが、各液体路部材１の冷却程度を高めることができる。この構成は、並列される液体路部材１の数が比較的少なく、また、各液体路部材１の熱交換面積が大きい場合に好適に使用できる。
【００３６】
［第３実施例］
本実施例は、液体路部材１の別の形状等を示した実施例である。
本発明においては、図１２（Ａ）に示すような単純な直線形の液体路部材１も熱交換手段として使用できる。図３に示すＵ字形の液体路部材１は多数の液体路部材１の一形状にすぎない。
つまり、冷やそうとする空間や物体の形状に応じて曲線形、円形、楕円形、四角形、三角形などの各種形状の液体路部材１を縁部接合部７及び区画接合部４５の形状を適宜、設定することで構成できる。
図１２（Ｂ）に示す構成は、図３に示した切り離し部２４の部分を切り離さず、縁部接合部７と同じような区画接合部４５で構成した点が特徴である。
【００３７】
［第４実施例］
この実施例は、図１３に示すように、冷却除湿装置２６及び配置形態維持手段２９の一例として例示したものである。
例えば、ブロアファン装置５３に用いられるパイプ５４の空気輸送空間を用いて冷却風又は温熱風を作る装置として使用することができる。つまり、既存のブロアファン装置５３のパイプ５４を交換するだけで、簡単に熱交換機能を有した冷却暖房装置にすることができる。逆な使い方としては、排熱がある場合に、熱を吸収し、給湯施設などへ供給するなどの手段が考えられる。
自然エネルギーを利用する観点から言えば、温泉施設などから熱を譲り受ける一つの手段となる可能性がある。なお、パイプ形状は円形のみならず、略四角形など各種の形状が採用できる。
【００３８】
［第５実施例］
この実施例は、図１４に示すように、本発明の構成を施設及び撤去が簡単に行えるテントなどの簡易居住部材５７において、ファン装置等を設けない構成を適用した実施例である。
テント５７を一例に取ると、断熱シート材を内蔵したテント生地をベースにその内側面等に液体路部材１が取り付けてある。取り付け形態は、公知の方法が採用可能であり、例えば、両面テープ、着脱自在の面ファスナー等で構成することができる。
液体路部材１を差し込むポケットを簡易居住部材５７の各面に設けてもよい。
例えば、屋根、壁などの空間を囲む面に設けると、空気を介して、あらゆる方向から冷却するため、簡易居住部材５７内を効率的に強力に冷やすことが可能になる。また、面自体に冷却機能があることになるので、ファン装置を設ける構成などに比べて簡易居住部材５７内を広く使用できる。さらに、エンジン発電機を用いる方法に比べて氷を利用する形態なので、安全に冷やすことができる。
【００３９】
また、採光するため、液体路部材１を備えた屋根部分は透明にしてもよい。液体として通常、採用される水は採光性もよい。
一方、液体路部材１を備えた面を外部から見られない生地を採用した場合は、プライバシーが守られるため、災害用の冷却室として採用することができる。
前面側は入口となる開閉自在の布材等で構成し、裏面側はホームベース型で自立できる壁面とすることもできる。また、側面部に入口を設ける構成などの各種の変形例も採用できることは明らかである。
太陽光によって温度の上がる夏季において使用する場合、液体路部材１を備えた屋根にすると、遮熱効果は非常に高いと考えられる。また、液体路部材１を備えた座面を採用すると、直接体温を奪う冷却マットにもなる。
良く知られているようにテント５７にコイル骨を使用したワンタッチテント５７に液体路部材１を備えた布材を採用することも考えられる。
なお、図１４においては液体送出管、液体戻り管、及び連通管は省略して描いている。
【００４０】
［第６実施例］
この実施例は、図１５に示すように、室内側の各種壁面６０に液体路部材１を設けた構成である。用途的には輻射熱対策などが考えられる。また、液体路部材１は薄く軽いため、各種壁面、例えば、床面、天井などに貼り付けることができる。貼り付ける形態は、着脱自在の構成であれば、両面テープ、面ファスナーなどで構成することができる。着脱自在の構成でなく、各種壁面に一体的に液体路部材１を固定する形態も実施できる。
「各種壁面６０に液体路部材１を設けた構成」としては、各種装置、各種機器などの側面に貼り付け、放熱対策とすることも可能である。例えば、上記各種壁面６０の大きさ、形状等は適宜、自由に設定できるので、二輪車のエンジン熱吸収などに使用できる可能性がある。
【００４１】
一方、別の発想としては、アーティストが行なう装飾面やポスター面に利用する形態が考えられる。例えば、第１フィルム層に柄などの絵、第２フィルム層に液体の色が判別できる透光性のある液体路部材１を使用することで、液晶パネルなどでは表現できない、液体で幻想的な表現が可能になる。これは液体が流れることが外側から分るからである。
油と水を利用することで、（油+色）及び（水+色）などの組み合わせにより、色が混ざり合わない不思議なパネルとすることができる。水や油を追加することで、例えば、赤から青への変化など、完全に色を変化させることも可能になる。
本実施例の構成であれば、視覚的に新しい、広告、サインなどに利用が可能になる。電車や水族館、テーマパークへの利用が見込まれる。窓ガラスに液体路部材１等を張れば、室内の雰囲気を変えることも可能である。
図１６は電車室内６２において、窓ガラスに液体路部材１を表示面６３として貼り付けて、その表示面６３に液体でクジラ６４を描いた様子を示している。
各種面には前記表示面６３、布面、シート面、窓面、ポスター面などを含む。
【００４２】
［第７実施例］
本実施例は、液体路部材１を図１７〜図１８のような例えば、螺旋形液体路部材１の形状維持固定具６７を、図１７（Ｂ）に示すように扇風機６５の吸気側（背面側）に取り付ける構成や、図１７（Ａ）（Ｃ）に示すように排気側（前面側）へ取り付ける構成である。
図１７（Ｃ）に示す構成では、螺旋形液体路部材１は扇風機６５の前側の金網６６の隆起した部分に適合させて山形に製造してある。
螺旋構造を維持する役割において、製造時に使用するのが、図１８に示す形状維持固定具６７である。形状維持固定具６７は螺旋形立設材６８を有し、好ましくは樹脂製で形成されている。そして、工場組立時において螺旋形立設材６８に液体路部材１を巻き付けて構成する。
形状維持固定具６７として、螺旋形又は剣山のように針が立設した針型固定具も必要に応じて採用できる。
【００４３】
。
図１８（Ａ）に示すような形状維持固定具６７に液体路部材１を巻くことを、ユーザーに行なわせることで遊び感を持たせることができる。この場合、製造工程の一部が不要になるため販売単価を下げることもできる。
長い螺旋形液体路部材１を図１２（Ｂ）に示すような折り返し部２１を有するＵターン構造にするよりも、巻き始めから巻き終わりまで一方通路の水路を形成する図１２（Ａ）に示すような液体路部材１を使用することが好ましい。長い液体路部材１であると液体の浸透圧力が大きくなるからである。
液体路部材１を形状維持固定具６７に巻き付けた後、各接続口具６に液体送出管３２及び液体戻り管３３であるチューブを接続する。
【００４４】
形状維持固定具６７は、扇風機６５と同じ材料で製造された、例えば、金属製ファンガードを基体にして金属板を螺旋形にして立設状態で部分的に溶接することで製造してもよい。
本冷風扇風機の用途として、工場の冷風扇やエアコンが設置されていない個室などの使用が考えられる。エアコンのように排熱がない点を考えると、スポットクーラーの代替品としても考えられる。
なお、図１８（Ｃ）に示すように、形状維持固定具６７の下部位置等に除湿した水分を抜くドレイン穴６９を設け、ドレイン用チューブ７０や貯水容器（図示せず）を設けることが好ましい。
除湿という意味では、一般の冷風扇よりも本実施例の方が性能もよく、いずれの場合も深夜電力を使用できるため、トータルコストを安く抑えられ、導入しやすいメリットがある。
【００４５】
［第８実施例］
図１９は布面やシート面等を利用してポスターや告知部材として旗形状部材７２を構成したことを特徴とする。液体路部材１を旗形状部材７２に取り付ける構成や、液体路部材１自体を旗形状部材７２に製造することもできる。この構成であれば、風等に揺らぐので、趣きがある楽しい構成となっている。この構成でも、前記したように色の液体・油を使用することで、例えば、完全に色を変化させることも可能になる。
上記電車室内６２の窓ガラスに設けた液体路部材１や旗形状部材７２に言えることであるが、液体路部材１に液体を流せば、その液体路部材１に接する空間は温度調整を受けるので、色や模様の変化等に重点を置く場合でも、室内の温度を目的の温度に保つようにある程度、液体の温度もコントロールした方が良いと言える。
また、積極的に、冷却を希望する場合は、例えば、図１９の構成で説明すれば、床下に氷収容容器２７を設けるとともに、支持棒７３内等に液体送出管３２及び液体戻り管３３を設ければ、室外内に設置可能な、装飾性、デザイン性、広告性に優れる冷却除湿装置として利用することができる。
【００４６】
［第９実施例］
本実施例では、主に図２０及び図２１に示すように、携帯バッテリーを利用した携帯持ち運び型エアコン装置の一例としてバケツ型冷却装置９３を説明する。
バケツ型冷却装置９３は以下の構成要素を含んで構成することもできる。
（筐体７５構成と２重容器構成）
バケツ型冷却装置９３は大容器８４の中に小容器８５を収容した構成である。大容器８４と小容器８５は共に上下方向に同じ筒幅の側面部（例えば、大容器８４の側面部９５参照）を有するバケツ形状又は鉢植え容器のように下窄み形状等に構成することもできる。
図２０及び図２１に示すように、バケツ型冷却装置９３の筐体７５は上蓋部９４、側面部９５及び底面部９６を含んで構成してある。上蓋部９４又は側面部９５の上方側の部分に吸気取入口４７を設け、その吸気取入口４７以外の残りの上蓋部９４又は側面部９５部分に冷却風排出口４８を設けている。図２０〜図２４の構成では、上蓋部９４だけに吸気取入口４７と冷却風排出口４８を設けた構成が示してある。
【００４７】
また、小容器８５の上端に上蓋部９４を固定し、その上蓋部９４の下側面を大容器８４の上周壁に固定又は係合できるように構成してあるので、大容器８４内において液体路収容部７９と氷収容部７４の区画が簡単に行える。
さらに、大容器８４と小容器８５の外縁域において、筒幅差（例えば、円形である場合は直径差）で生まれる差領域９７（図２０参照）に相当する部分だけに吸気取入口４７を設け、上蓋部９４の中心域側に冷却風排出口４８を設けた構成になっている。この構成によって、上蓋部９４の吸気取入口４７から入った吸気は、大容器８４内で液体路収容部７９の回りを通って氷収容部７４に達し、内部吸気口８０を通過して送風装置３７の作用によって冷却風排出口４８から冷却風が排気される。
この大容器８４内に小容器８５を収容する構成であれば、上蓋部９４に係る加工だけでバケツ型冷却装置９３の吸気取入口４７及び冷却風排出口４８を形成できる。
【００４８】
但し、大容器８４の側面部９５に吸気取入口４７を設ける構成を本発明は除外するものではない。しかし、大容器８４の側面に吸気取入口４７を多数設けることは容器の強度を低下させるとともに、「大容器８４の側面に吸気取入口４７を多数設けた特注品」を製造する必要があり、製造コストが増大する可能性がある。つまり、本構成に示すように、大容器８４及び小容器８５の構成において、市販されている大小の２種類のバケツ等の汎用容器をそのまま使用することで製造コストを低減できることができる。
なお、大容器８４の上端面に上下方向の隙間を形成して上蓋部９４を固定し、その隙間を吸気取入口４７又は冷却風排出口４８とする構成も採用することができる。
また、送風装置３７のファンの回転を正回転から逆回転に切り換えることで、吸気取入口４７を冷却風排出口４８に変え、冷却風排出口４８を吸気取入口４７に変えることもできる。この構成によって使用者の使用意図に応じた吸気取入口４７、冷却風排出口４８の場所設定を行うことができる。
【００４９】
（液体路収容部７９の構成要素）
液体路収容部７９は本実施例では小容器８５内に設けられる構成要素で構成される。小容器８５の底部又は（必要により）側面部には内部吸気口８０が設けられ、風の流れ８９を液体路収容部７９内に導くように構成してある。液体路収容部７９内には少なくとも液体路部材１としての螺旋形液体路部材８６、風路確保用スペーサ８７、液体送出管３２及び液体戻り管３３が設けられる。
バケツ型冷却装置９３には図２０には図示していない循環ポンプ２８（図１参照）、携帯型バッテリーである携帯型の電源装置３６（図１参照）、送風装置３７等が所定位置に設けられる。なお、必要に応じて液体路収容部７９内に循環ポンプ２８、携帯型バッテリー３５や送風装置３７を設ける構成を採用することができる。
図２０及び図２１においては省略して描いているが、必要に応じて水回収ポンプ４０（図１参照）等を液体路収容部７９内に設けても良い。
【００５０】
（氷収容部７４の構成）
氷収容部７４は大別して２つの構成がある。
第１構成は、図２０に示すように、バケツ型冷却装置９３内に氷収容部７４の一例としての氷収容室９８を設ける構成である。
氷収容室９８内に凍らせたペットボトル７７のような容器を少なくとも１本収容することで、氷収容室９８内の水温を好ましい低温度に下げることができる。また、家庭用の冷凍庫でペットボトル７７等の小さい容器内の水を凍らせることで、氷収容室９８に入れる氷を簡単に確保できる利点がある。氷収容室９８に入れる氷としてコンビニエンスストアで販売されているロックアイス等も使用できる。また、氷代用物としての冷却手段としては、各種保冷剤や、叩いて冷やす循環冷却剤などの反応型冷却剤、内容物がパックされた冷凍食品等を氷収容室９８内にそのまま入れる方法などが例示できる。要は、安全に、氷収容部７４の内部を継続的に冷却できる機能がある物であれば、氷収容部７４に入れる氷代用品として使用できるものである。
第２構成は、図２４に示すようにバケツ型冷却装置９３内に氷収容室９８を設けると共に大型ポリタンク等の大型の外部タンク７８を付設した構成である。外部タンク７８を設けることで、長時間に亘って冷却風を排出することができる。この第２構成においては、バケツ型冷却装置９３内の氷収容室９８は主に水回収部３８として機能することになる。
なお、図２４においては液体送出管３２、液体戻り管３３と外部タンク７８を接続する連通部１００は吸気取入口４７を兼用した構成が示してある。
【００５１】
（風路確保用スペーサ８７の構成）
以下、図２２に基づいて、液体路部材１を液体路収容部７９内で通風の妨げにならないように設ける構成について説明する。
液体路部材１は、通常では柔軟性、可撓性を備えるシート部材で構成されるので、シート部材自体では通風を妨げないように立設することは難しい。
そこで、本実施例では、風路確保用スペーサ８７を液体路部材１と近接配置することで前記立設状態を確保するように構成してある。スペーサの機能としては、液体路部材１間の距離を確保することと、液体路部材１の平面方向に流れる風路を確保できる形状となっていることである。具体的な、風路確保用スペーサ８７の形状としてはダンボール等に使用されるような波形体や、ハニカム構造体などの形状が例示できる。
前記立設状態の形態としては、下記の構成が例示できる。
（１）図２２に一例として示すように、「風路確保用スペーサ８７と液体路部材１とを平面的に重ねるように並べたもの」を螺旋形状に巻いて立設状態にしたもの。
（２）液体路部材１を支持棒、支持枠、立設網体などに係合して維持させる、例えば、巻き付けて折り返す、差し込む等の手段で液体路部材１を立設状態にしたもの。
但し、液体路部材１の曲率や液体路面の曲がり角度が大きくなりすぎて、冷水が液体路部材１内を流れにくい状態にならないようにないように設定することが必要である。
【００５２】
（氷収容部７４に係る他の変形構成）
図２３（Ｂ）〜（Ｄ）に示すように、大容器８４の氷収容室９８に水を入れて、凍らせたものを複数個用意しておけば、バケツ型冷却装置９３の大容器８４を取り替えることによって冷却機能を長時間に亘って維持できる。
また、必要に応じて大容器８４内側面に収容できる別体氷収容部８２を設け、別体氷収容部８２を大容器８４に対して収容された状態と取り出した状態（図２３（Ａ）の状態）を選べる構成としてある。この構成であれば、図２３（Ａ）に示すように別体氷収容部８２内の水を凍結させておけば、別体氷収容部８２を交換するだけで冷却機能時間を増やすことができる。なお、収容状態と取出し状態を自在にできる構成としては、図示した実施例のように上蓋部９４のような上面部を外して別体氷収容部８２を上方に取り出す構成の他には、家庭用冷蔵庫の冷凍庫のように側面部９５からスライドさせて引出す着脱自在スライド式の別体氷収容部８２（図示せず）で構成することもできる。
別体氷収容部８２を設ける構成では、氷収容室９８の容器が小さくなる不都合があるが、別体氷収容部８２の周壁面の断熱効果によって別体氷収容部８２内の氷が解ける時間を長くすることが可能になる。また、断熱効果によって氷収容部７４に対応する大容器８４の結露を抑制できる利点もある。
また、大容器８４に比べて小型の別体氷収容部８２を設けることで、家庭用の冷凍庫にも収容できる可能性を高めることができる。
【００５３】
本発明は上記実施例以外にも本発明の要旨を変更しない範囲で種々の変形を行うことも可能である。
（１）前記実施例では液体として水が好ましい。但し、水に熱交換を促進する物質（液体）を混合した液体や、前記したように油や色の付いた液体も使用できる。但し、それらの液体は人体に有害でない構成を採用することが好ましい。
（２）液体路部材１のシートを耐熱性のものを用いることで温水を流すことができて、暖房装置としても使用できる。温熱が簡単に得られる温泉地域、地熱のある地域などには簡易に熱交換の良い状態で使用できる装置として使用できる。また、発展した使い方としては冷却用の氷収容容器と温水収容容器からの液体を切り替える液体切替装置を設けて、冷房用と暖房用を一台の装置で行うことも可能である。
【００５４】
（３）図２４に示すように、冷却風排出口４８の配設位置に対応して、冷却風排出口４８からの排気冷却風を所望方向に切り換える風向き調整具９０を設けることもできる。この構成は、必要に応じて設けられる構成であって、販売形態としては、オプション構成とすることが好ましい。
図２４に基づいてその一例を説明すれば、大容器８４の上端面において、アタッチメント部材９２が後付の取り付け自在の構成とされている。
このオプション部材を購入することによって、風向き調整具９０をバケツ型冷却装置９３に付設することができる。風向き調整具９０はアタッチメント部材９２、支軸９１、風向き反射部９９とを有し、支軸９１に対する風向き反射部９９の角度を調整することで、風の流れ８９の方向を利用者の好ましい方向に変えることできる構成にしてある。図２４では、風向き反射部９９はバケツ型冷却装置９３のオプション部材の蓋部としても機能できるように構成してある。
風向き調整具９０の他の構成としては、伸縮自在で、風向きを所望方向に変化できる蛇腹形筒体をアタッチメント部材９２としてバケツ型冷却装置９３の上部に取り付ける構成等が例示できる。
（４）前記装置の筐体７５の形状は、略円柱型の外観形状だけでなく、一般的な石油ファンヒータのような略立方体形状、略長方体形状の装置外観などであっても同様に適用が可能である。また、上面と側面がなだらかに変化するような装置形状であってもよい。そのような装置形状としては動物形に似せた携帯型冷却装置が例示できる。
（５）また、図４〜図７を用いて説明した前記凹凸シート２に形成される前記凹凸はある程度曲がっても水の流れを実質的に良好に維持できるものであれば、特に限定されない。例えば、円形、楕円形などの円だけでなく、６角形などの多角形を多数設けたものでも構成できる。また、複数の凸形線又は凹形線を角度もって交差させることで形成した格子紋、菱形紋、籠目紋などの各種の凹凸形状などが例示できる。また、前記凹凸は壁紙などに用いられる小さな凹凸部が不規則に形成されている凹凸シートなども採用できる。
【符号の説明】
【００５５】
１…液体路部材
２…凹凸シート
３…液体路
４…入口部
５…出口部
６…接続口具
７…縁部接合部
１１…管部
１４…融着部
１５…凹凸
１６…流路部
２６…冷却除湿装置（冷水を用いた液体循環型温度調整装置）
２７…液体収容容器、氷収容容器
２８…循環ポンプ
２９…配置形態維持手段
３０…筐体（支持部材）
３１…棒体
３２…液体送出管
３３…液体戻り管
３５…連通管
３６…電源装置
３７…送風装置
３８…水回収部
４１…立体構造物
４２…隙間
５２…支持穴
５３…ファン装置
５４…パイプ
５５…送風方向
５７…簡易居住部材
５８…位置調整手段
６０…各種壁面
６５…扇風機
６７…形状維持固定具
４７…吸気取入口
４８…温度調整風排出口（冷却風排出口）
７４…氷収容部
７５…筐体
７８…外部タンク
７９…液体路収容部
８４…大容器
８５…小容器
８６…螺旋形液体路部材
８７…風路確保用スペーサ
８８…水回収部
９７…差領域
１００…連通部
Ｈ…凹凸１５の高さ
Ｗ…凹凸１５の横幅
【図１】
2018105612.tif 000003
【図２】
2018105612.tif 000004
【図３】
2018105612.tif 000005
【図４】
2018105612.tif 000006
【図５】
2018105612.tif 000007
【図６】
2018105612.tif 000008
【図７】
2018105612.tif 000009
【図８】
2018105612.tif 000010
【図９】
2018105612.tif 000011
【図１０】
2018105612.tif 000012
【図１１】
2018105612.tif 000013
【図１２】
2018105612.tif 000014
【図１３】
2018105612.tif 000015
【図１４】
2018105612.tif 000016
【図１５】
2018105612.tif 000017
【図１６】
2018105612.tif 000018
【図１７】
2018105612.tif 000019
【図１８】
2018105612.tif 000020
【図１９】
2018105612.tif 000021
【図２０】
2018105612.tif 000022
【図２１】
2018105612.tif 000023
【図２２】
2018105612.tif 000024
【図２３】
2018105612.tif 000025
【図２４】
2018105612.tif 000026